(57)【要約】【課題】磁気情報の読取り及び書込み時の出力を安定させ、読取り不良や書込み不良によるエラーの発生を抑制する。【解決手段】磁気読取り書込み部１６の磁気ヘッド１を、通帳２１の搬送方向と同方向の向きに設けた支持軸１３により回転自在に支持すると共に、通帳の搬送方向と直行する方向に磁気ヘッド１をスプリング１４により付勢して傾斜させ、移動手段により磁気読取り書込み部１６を通帳の磁気ストライプに対して接近する方向に移動して行くと、傾斜した磁気ヘッド１の磁気ストライプに近い部分がまず磁気ストライプに接触し、更に移動させると磁気ヘッド１が支持軸１３を中心に回転して磁気ストライプと平行にな利、これにより幅の小さい磁気ストライプに対しても磁気ヘッド１が均等に圧接する。【選択図】図１
2008140441.tif 000002
【特許請求の範囲】
【請求項１】
幅の異なる磁気ストライプを有する２種類以上の通帳に対し、磁気読取り書込み部に設けられた１つの磁気ヘッドで磁気情報の読取り及び書込みを行う通帳取扱い装置において、
前記磁気読取り書込み部は、通帳の搬送方向と同方向の向きに設けた支持軸により前記磁気ヘッドを回転自在に支持すると共に、通帳の搬送方向と直行する方向に前記磁気ヘッドを付勢して傾斜させた構成とし、
かつこの磁気読取り書込み部を通帳に対して接近、離反させる移動手段を備えたことを特徴とする通帳取扱い装置。
【請求項２】
請求項１記載の通帳取扱い装置において
前記前記磁気ヘッドは、磁気ストライプに対する前記磁気ヘッドの幅の狭い磁気ストライプに接触する側の部分が磁気ストライプに近くなるように傾斜させたことを特徴とする通帳取扱い装置。
【発明の詳細な説明】
【技術分野】
【０００１】
本発明は、金融機関で使用される通帳取扱い装置に関するもので、特に磁気ストライプの幅が異なる複数種類の通帳を取り扱う通帳取扱い装置に関するものである。
【背景技術】
【０００２】
従来の通帳取扱い装置は、金融機関の合併や提携等により、磁気ストライプの幅が異なる複数種類の通帳に対して磁気情報の読取りや書込みを行わなければならず、そのためいずれの通帳が挿入されても、磁気ストライプに対して磁気情報の読取り及び書込みが可能な磁気ヘッドを採用している（例えば、特許文献１参照）。
【特許文献１】特開平５−８９６１８号公報（段落「００３２」、「００３３」、図５〜図７）
【発明の開示】
【発明が解決しようとする課題】
【０００３】
しかしながら、上述した従来の技術においては、磁気ヘッドは最大幅の磁気ストライプに対して磁気情報の読み取りや書込みを行える幅にしてあるため、磁気ヘッドと同等の幅を有する磁気ストライプに対しては、均等な力で磁気ヘッドを圧接させることができるが、磁気ヘッドに比べて幅の小さい磁気ストライプは、磁気ヘッドの圧接力のバランスが崩れて、磁気ストライプの幅の端部側に局部的に圧力がかかる場合が多く、そのため磁気情報の読取り及び書込み時の出力が不安定になり、読取り不良や書込み不良によるエラーが発生するという問題がある。
【０００４】
本発明は、このような問題を解決することを課題とする。
【課題を解決するための手段】
【０００５】
そのため、本発明は、幅の異なる磁気ストライプを有する２種類以上の通帳に対し、磁気読取り書込み部に設けられた１つの磁気ヘッドで磁気情報の読取り及び書込みを行う通帳取扱い装置において、前記磁気読取り書込み部は、通帳の搬送方向と同方向の向きに設けた支持軸により前記磁気ヘッドを回転自在に支持すると共に、通帳の搬送方向と直行する方向に前記磁気ヘッドを付勢して傾斜させた構成とし、かつこの磁気読取り書込み部を通帳に対して接近、離反させる移動手段を備えたことを特徴とする。
【発明の効果】
【０００６】
このようにした本発明は、移動手段により磁気読取り書込み部を通帳の磁気ストライプに対して接近する方向に移動して行くと、傾斜した磁気ヘッドの磁気ストライプに近い部分がまず磁気ストライプに接触し、更に磁気読取り書込み部を磁気ストライプに接近する方向に移動させると、磁気ヘッドが支持軸を中心に回転して磁気ストライプと平行になって接触するため、磁気ヘッドに比べて幅の小さい磁気ストライプに対しても磁気ヘッドが均等に圧接することになり、そのため磁気情報の読取り及び書込み時の出力が安定して読取り不良や書込み不良によるエラーの発生を抑制することができるという効果が得られる。
【発明を実施するための最良の形態】
【０００７】
以下、図面を参照して本発明による通帳取扱い装置の実施例を説明する。
【実施例】
【０００８】
図１は実施例の正面図、図２は左側面図、図３は実施例の平面図、図４は実施例の正面側斜視図、図５は実施例の背面側斜視図であり、ここでは通帳取扱い装置の磁気読取り書込み部を示している。
図において１は磁気ヘッドで、コの字形あるいはＵ字形のブラケット２の内側に固定されている。
【０００９】
ブラケット２の前後には通帳の搬送方向と同方向の向きにした支持軸３が設けられており、この支持軸３によりブラケット２は第１のホルダ５上部のコの字形あるいはＵ字形の部分の内側に回転自在に支持されている。
６は第１のホルダ５の下面に固定に配置された第２のホルダで、この第２のホルダ６の一側面（図では左側面）には第１のガイドポスト７が、また背面には第２のガイドポスト８が設けられている。
【００１０】
そして第１のガイドポスト７は第２のホルダ６の一側面と平行な第１のガイド板１０に設けられた上下方向に延在するガイド溝１１に、第２のガイドポスト８は第２のホルダ６の背面と平行な第２のガイド板１２に設けられた上下方向に延在するガイド孔１３にそれぞれ挿入されていて、この第１のガイドポスト７とガイド溝１１、第２のガイドポスト８とガイド孔１３の案内により第２のホルダ６及び第１のホルダ５等と一体に磁気ヘッド１は上下方向に移動するものとなっており、更に両ガイドポスト７、８とガイド溝１１及びガイド孔１３により第２のホルダ６の前後方向及び左右方向の移動が規制されている。
【００１１】
尚、第１のホルダ５と第２のホルダ６は一体に形成したものであってもよい。
１４は横方向の付勢手段である第１のスプリングで、下方に突出するようにブラケット２に形成された突起４を押圧するように配置されており、この第１のスプリング１４により突起４が第１のホルダ５の下部側端面に押し当てられ、これにより磁気ヘッド１は通常状態では通帳の幅の狭い磁気ストライプと接触する側が高くなる形で上端が傾斜するようになっている。
【００１２】
つまり、磁気ヘッド１は第１のスプリング１４により通帳の搬送方向と直行する方向に付勢され、磁気ストライプに対する接触部のうち、幅の狭い磁気ストライプと接触する側が磁気ストライプに近くなる形で傾斜している。
１５は上下方向の付勢手段である第２のスプリングで、第２のホルダ６の上部下面と接触するように第２のホルダ６の内側に配置されている。
【００１３】
１６は上述した構成による磁気読取り書込み部で、図示していないが本実施例では磁気読取り書込み部１６を上下動つまり通帳に対して接近、離反させる方向に移動させる移動手段としての昇降機構を備えている。
上述した構成の作用について説明する。
尚、以下に説明する各部の動作は、図示しない記憶部に格納されたプログラム（ソフトウェア）に基づいて図示しない制御部により制御されるものとする。
【００１４】
まず、通帳の処理動作について説明する。
図６は通帳処理動作時の概略側面図で、図において１７は通帳吸入排出口、１８は上下のガイド板により形成された搬送路、１９ａ〜１９ｃは搬送路１８に沿って設けられた複数の搬送ローラ、２０ａ〜２０ｃは各搬送ローラ１９ａ〜１９ｃに対応して設けられたプレッシャローラであり、プレッシャローラ２０ｂと並ぶように磁気読取り書込み部１６が配置されている。
【００１５】
図６（ａ）に矢印１で示したように、通帳２１が通帳吸入排出口１７に挿入されると、その挿入された通帳２１は搬送ローラ１９ａとプレッシャローラ２０ａによって挟持され、搬送されることで装置内に吸入される。
吸入された通帳２１は搬送ローラ１９ｂとプレッシャローラ２０ｂの間に送られ、この搬送ローラ１９ｂとプレッシャローラ２０ｂにより挟持されて先端部が搬送ローラ１９ｃとプレッシャローラ２０ｃに挟持されるまで搬送されるが、この間、磁気読取り書込み部１６は磁気ヘッド１が搬送路１８の下側の位置で待機するように下降した状態に保たれている。
【００１６】
上記のように通帳２１の先端部が搬送ローラ１９ｃとプレッシャローラ２０ｃに挟持されるまで搬送され、それが図示しないセンサ等により検知されると、通帳２１の搬送が停止された後、矢印２で示したようにプレッシャローラ２０ａと２０ｃが下方に退避する。
次に、図６（ｂ）に矢印３で示したように図示しない昇降機構により磁気読取り書込み部１６を上昇させて磁気ヘッド１を通帳２１の磁気ストライプ部に圧接させ、搬送ローラ１９ｂとプレッシャローラ２０ｂにより通帳２１を矢印４方向に搬送しつつ、磁気ヘッド１によりを通帳２１の磁気ストライプ部に対して磁気情報の読み取りあるいは書き込み処理を行う。
【００１７】
このときの通帳２１の磁気ストライプ部に対する磁気ヘッド１の圧接動作を図７及び図８により説明する。
図７は磁気ヘッドと通帳の磁気ストライプの関係を示す平面図で、通帳２１Ａは磁気ヘッド１と同等の幅を持つ磁気ストライプＭ１を有し、通帳２１Ｂは磁気ヘッド１幅より狭い幅の磁気ストライプＭ２を有している。
【００１８】
図８は通帳の磁気ストライプ部に対して磁気ヘッドが圧接した状態を示す正面図で、同図（ａ）は磁気ヘッド１と同等の幅を持つ磁気ストライプＭ１の場合、同図（ａ）は幅の狭い磁気ストライプＭ２の場合である。
例えば幅の狭い磁気ストライプＭ２の場合、本実施例の磁気読取り書込み部１６は、図１に示したように通常状態では磁気ヘッド１の上端は通帳の幅の狭い磁気ストライプＭ２と接触する側が高くなるように傾斜しているので、この状態で図６（ｂ）に矢印３で示したように図示しない昇降機構により磁気読取り書込み部１６を上昇させると、まず磁気ヘッド１上端の高い部分が磁気ストライプＭ２に接触する。
【００１９】
そして、続けて磁気読取り書込み部１６を上昇させて行くと、磁気ヘッド１は突起４により第１のスプリング１４を押しかつ第１、第２のホルダ５、６を介して第２のスプリングを押しながら支持軸３中心に上端が磁気ストライプＭ２と平行になる方向に回転し、ついには上端が磁気ストライプＭ２と平行になって均一な圧力で磁気ストライプＭ２に圧接する。
【００２０】
磁気ヘッド１と同等の幅を持つ磁気ストライプＭ１の場合も同様に、磁気ヘッド１の上端を均一な圧力で磁気ストライプＭ１に圧接させることができる。
以上説明した実施例によれば、磁気読取り書込み部１６は、通帳２１の搬送方向と同方向の向きに設けた支持軸１３により磁気ヘッド１を回転自在に支持すると共に、通帳２１の搬送方向と直行する方向に磁気ヘッド１を付勢手段としてのスプリング１４により付勢して傾斜させた構成とし、かつこの磁気読取り書込み部１６を通帳２１に対して接近、離反させる移動手段を備えたものとして、移動手段により磁気読取り書込み部１６を通帳２１の磁気ストライプに対して接近する方向に移動して行くと、傾斜した磁気ヘッド１の磁気ストライプに近い部分がまず磁気ストライプに接触し、更に磁気読取り書込み部１６を磁気ストライプに接近する方向に移動させると、磁気ヘッド１が支持軸３を中心に回転して磁気ストライプと平行になって接触するため、磁気ヘッド１に比べて幅の小さい磁気ストライプに対しても磁気ヘッド１が均等に圧接することになり、そのため磁気情報の読取り及び書込み時の出力が安定して読取り不良や書込み不良によるエラーの発生を抑制することができるという効果が得られる。
【００２１】
尚、上述した実施例では幅の異なる磁気ストライプＭ１、Ｍ２を有する２種の通帳２１Ａ、２１Ｂを例にして説明したが、これに限られるものではなく、他の幅の異なる磁気ストライプを有する通帳に対しても同様の作用、効果が得られる。
【図面の簡単な説明】
【００２２】
【図１】実施例の正面図
【図２】実施例の左側面図
【図３】実施例の平面図
【図４】実施例の正面側斜視図
【図５】実施例の背面側斜視図
【図６】通帳処理動作時の概略側面図
【図７】磁気ヘッドと通帳の磁気ストライトの関係を示す平面図
【図８】磁気ストライプ部に対して磁気ヘッドが圧接した状態を示す正面図
【符号の説明】
【００２３】
１    磁気ヘッド
２    ブラケット
３    支持軸
４    突起
５    第１のホルダ
６    第２のホルダ
７    第１のガイドポスト
８    第２のガイドポスト
１０  第１のガイド板
１１  ガイド溝
１２  第２のガイド板
１３  ガイド孔
１４  第１のスプリング
１５  第２のスプリング
１６  磁気読取り書込み部
２１Ａ  通帳
２１Ｂ  通帳
【図１】
2008140441.tif 000003
【図２】
2008140441.tif 000004
【図３】
2008140441.tif 000005
【図４】
2008140441.tif 000006
【図５】
2008140441.tif 000007
【図６】
2008140441.tif 000008
【図７】
2008140441.tif 000009
【図８】
2008140441.tif 000010